(57)【要約】【課題】ハウジング２と、掃除アクセサリ５の対応する接続アダプタ４と取外し可能に接続するためにハウジング上に形成されたアクセサリコネクタ３とを備えた掃除機１に関する。【解決手段】アクセサリコネクタ３は、掃除機１の通常の使用位置において、掃除対象面に向けられ、掃除機１はアクセサリコネクタ３の領域に取外し可能に配置された持ち手６を有する。特に床上方の掃除中に掃除機１を静かにかつ安全に保持できるために、持ち手６のハンドルベース１０が、アクセサリコネクタ３および／または掃除アクセサリ５の接続アダプタ４上に配置され、アクセサリコネクタ３と接続アダプタ４との間に挟持されている。【選択図】図１
2019188134.tif 000002
【特許請求の範囲】
【請求項１】
ハウジング（２）と、掃除アクセサリ（５）の対応する接続アダプタ（４）と取外し可能に接続するために前記ハウジング（２）に形成されたアクセサリコネクタ（３）とを備えた掃除機（１）であって、前記アクセサリコネクタ（３）が、前記掃除機（１）の通常の使用位置において掃除対象面に向いており、前記掃除機（１）が、前記アクセサリコネクタ（３）の領域に取外し可能に設置されたハンドル（６）を有する、前記掃除機（１）において、
前記ハンドル（６）のハンドルベース（１０）が、前記アクセサリコネクタ（３）上および／または前記掃除アクセサリ（５）の接続アダプタ（４）上に設置され、かつ、前記アクセサリコネクタ（３）と前記接続アダプタ（４）との間に挟持されることを特徴とする掃除機。
【請求項２】
前記掃除機（１）が、集塵室（７）と、ファン（８）と、アクセサリコネクタ（３）とを具備する吸引掃除機であり、前記アクセサリコネクタ（３）と前記ファン（８）との間に吸引ダクト（９）が配置され、前記掃除機（１）の吸引動作中、前記吸引ダクト（９）を通して前記集塵室（７）に塵埃を搬送可能であることを特徴とする請求項１に記載の掃除機（１）。
【請求項３】
前記ハンドルベース（１０）が貫通孔を有し、前記貫通孔を通して前記ハウジング（２）および／または前記掃除アクセサリ（５）の部分領域（１１）が、特に前記アクセサリコネクタ（３）および／または前記接続アダプタ（４）が案内されることを特徴とする請求項１または２に記載の掃除機（１）。
【請求項４】
前記ハンドル（６）が、少なくとも、前記掃除機（１）上に取り付けられたハンドルベース（１０）とユーザの手で把持するために形成されたハンドル部分（１３）との間の中間部分（１２）において可撓性材料から形成されており、かつ／または、前記ハンドル部分（１３）が前記ハンドルベース（１０）に対して変位可能であることを特徴とする請求項１〜３のいずれかに記載の掃除機（１）。
【請求項５】
前記掃除機（１）上に載置可能である前記ハンドル（６）の接触領域（１４）の形状が、前記接触領域（１４）を載置するために設けられた前記掃除機（１）の表面領域（１５）の形状に対応していることを特徴とする請求項１〜４のいずれかに記載の掃除機（１）。
【請求項６】
前記ハンドル部分（１３）が、非使用位置において、前記掃除機（１）上に平坦に載置可能であることを特徴とする請求項４または５に記載の掃除機（１）。
【請求項７】
前記ハンドル（６）のハンドル部分（１３）が、前記ハンドル（６）のハンドルベース（１０）に設けられた旋回軸（１６）に旋回可能に装着されることによって、前記ハンドル部分（１３）が、前記掃除機（１）から離れるように、かつ、前記掃除機（１）に近づくように旋回可能であることを特徴とする請求項１〜６のいずれかに記載の掃除機（１）。
【請求項８】
前記ハンドル（６）が、非使用時に、前記ハンドル（６）の材料に由来する復元力により、かつ／または、前記ハンドル（６）に設けられた復元要素（１７）により、前記掃除機（１）上に載置可能であることを特徴とする請求項１〜７のいずれかに記載の掃除機（１）。
【請求項９】
前記掃除機（１）が、前記アクセサリコネクタ（３）から離れた側のハウジング領域（１８）に第２のハンドル（１９）を有し、２つのハンドル（６、１９）の間の距離が少なくとも２０ｃｍであることを特徴とする請求項１〜８のいずれかに記載の掃除機（１）。
【発明の詳細な説明】
【技術分野】
【０００１】
本発明は、ハウジングと、掃除アクセサリの対応する接続アダプタと取外し可能に接続するためにハウジング上に形成されたアクセサリコネクタとを備えた掃除機に関し、アクセサリコネクタは、掃除機の通常の使用位置において掃除対象面に向いており、掃除機はアクセサリコネクタの領域に取外し可能に配置されたハンドルを有する。
【背景技術】
【０００２】
上述したタイプの掃除機は、従来公知の技術である。それらは例えば吸引掃除機または水拭き装置とすることができる。この種の掃除機は、通常、掃除対象面上で掃除機を移動させるための案内用の柄および／または案内用のハンドルを具備するベース装置を有する。ベース装置は、掃除中、例えば、アクセサリコネクタに接続されブラシ等を具備することができるアタッチメント上で起立することができる。さらに、ベース装置は、床上方表面の掃除のために用いられることもでき、その場合、ベース装置は、通常、第２のハンドルの補助により支持されまたは案内される。
【０００３】
特許文献１は、例えば、案内用の柄に配置された案内用の持ち手と共に、掃除ハウジング上に配置され休止位置から使用位置に旋回可能なハンドルを別個に有する掃除機を開示している。この別個のハンドルは、掃除機を持ち運ぶために、または、床上方掃除中に案内するために用いることができる。
【先行技術文献】
【特許文献】
【０００４】
【特許文献１】独国特許出願公開第10 2015 118 621号公報
【発明の概要】
【発明が解決しようとする課題】
【０００５】
上述した従来技術に基づいて、本発明の目的は、例えば床掃除中、快適かつ安定した掃除機の案内が最適化されるように、掃除機を有利に改良することである。これは、特に、比較的大型で重い掃除機において実現されるべきであり、それらの掃除機は、床上方掃除のために、掃除機が揺らいだり片方に傾いたりしないように通常は両手で保持される。
【課題を解決するための手段】
【０００６】
上述した目的を達成するために、本発明は、ハンドルのハンドルベースが、アクセサリコネクタ上および／または掃除アクセサリの接続アダプタ上に配置され、かつ、アクセサリコネクタと接続アダプタとの間に挟持されることを提示する。
【０００７】
ハンドルのハンドルベースが、アクセサリコネクタ上および／または掃除アクセサリの接続アダプタ上に配置され、かつ、アクセサリコネクタと接続アダプタとの間に挟持されることが提示される。ハンドルは、ハンドルのハンドル部分に接続されたハンドルベースを有する。ユーザがハンドルを持つためにハンドル部分を用いる間、ハンドルベースはハンドルを掃除機上に固定する役割を果たす。ハンドルベースは、掃除機またはアクセサリコネクタ上および／または掃除アクセサリ上に固定するために配置される。その際に、掃除アクセサリはアクセサリコネクタとも接続される。ハンドルのハンドルベースがアクセサリコネクタと掃除アクセサリの接続アダプタとの間に挟持されるとき、同時に掃除アクセサリの接続アダプタがアクセサリコネクタに固定されることによって、掃除機に対してハンドルのハンドルベースが固定される。ハウジングのアクセサリコネクタと掃除アクセサリの接続アダプタとの間にハンドルベースが介在配置されるとき、ハンドルベースの材料厚さが有利に選択されることによって、掃除アクセサリとベース装置との間に過剰な間隙が生じず、ユーザが好適に汎用的な態様で接続動作を行うことができる上、アクセサリの端部位置を掃除機に着けたときに実質的に同じ触覚的な印象を受けとることができる。ハンドルのハンドルベースの選択された材料に応じて、同時に、掃除アクセサリとアクセサリコネクタとの間、すなわち例えばアタッチメントと掃除機のベース装置との間の遊びの低減および／または最小化も実現することができる。
【０００８】
掃除機がハウジングの端部領域にハンドルを有し、そこには通常、掃除アクセサリが配置される。この端部領域は、掃除機による通常の床掃除中、掃除対象面に向いている。掃除機のユーザは、もはや手で直接ハウジングを把持する（掃除機の大きさによってはしばしば難しいことである）必要はなく、別個のハンドルを得ることができ、それを用いてユーザは掃除機を安全にかつ正確に案内することができる。掃除機の振り子運動および、それによる環境内での例えば偶発的な物体との衝突が効果的に回避される。ハンドルが掃除機上に、特にアクセサリコネクタ上に取外し可能に配置されることによって、ハンドルを選択的に、例えば長期間不要であるときに掃除機から取り外すことができる。掃除機が例えば通常の床掃除にのみ用いられる場合、掃除機が掃除対象面上に置かれることによって表面により支持され、必要に応じてアクセサリコネクタに配置された掃除アクセサリが介在する状態で、ハンドルを掃除機から容易に取り外すことができ、すなわち例えばアクセサリコネクタから取り外すことができる。必要な場合、掃除機へのハンドルの再取付けも可能である。「アクセサリコネクタの領域」の用語は、ここでは例えば、ハンドルが少なくとも部分領域に亘って掃除機のアクセサリコネクタに接触することを意味し、例えば、ハンドルがアクセサリコネクタ上に平坦に載置され、または、ハンドルが接線のみにより接触し、または、アクセサリコネクタに隣接して配置され、または、掃除アクセサリ上に取り付けられ、そして掃除アクセサリがアクセサリコネクタに接続される。それによって、掃除アクセサリの接点への接続によりハンドルも掃除機と接続されることとなる。
【０００９】
一実施形態によれば、掃除機が、集塵室と、ファンと、アクセサリコネクタとを備えた吸引掃除機であることが提示され、その場合、アクセサリコネクタとファンとの間に吸引ダクトが形成されており、それを通して、掃除機の吸引動作中に塵埃が集塵室に搬送されることができる。この実施形態では、掃除アクセサリを接続することができる、掃除機のアクセサリコネクタは、吸引開口または吸引ダクト接続部を有し、それを通してまたはそれによりアクセサリと掃除機のファンとの間の流体接続を形成することができる。したがって、アクセサリコネクタは、掃除機の使用中、選択的にアクセサリを接続せずに掃除対象面または物体と直接的に接触することができる。例えば、部屋の隅、幅木、布張り家具等を掃除するためである。それに替えて、掃除機は、これらのまたは他のタスクのために、アクセサリコネクタに接続された掃除アクセサリと組み合わせて用いることもできる。掃除アクセサリは、例えば、布張りブラシまたは別の掃除アクセサリとすることができる。
【００１０】
吸引掃除機としての実施形態に替えて、掃除機は、拭き装置、組合せによる吸引拭き装置、研磨装置、または研削装置等とすることができる。特に、本発明は、床上方掃除用に構成されている全ての掃除機においても適している。その場合、掃除機は、掃除対象面により支持されず、すなわちその全重量をもって掃除対象面上に載置されない。
【００１１】
特に、ハンドルベースが貫通孔を有し、それを通して掃除機のハウジングおよび／または掃除アクセサリの部分領域が案内されることが提示される。特に、ハンドルベースの貫通孔により、アクセサリコネクタおよび／または掃除アクセサリの接続アダプタが案内されることができる。したがってこの実施形態では、ハンドルベースが、ハウジングまたはアクセサリの部分領域を通過させるための貫通孔を有する。例えば、ハンドルベースがリングの形状で形成されており、ハウジングおよび／または掃除アクセサリの円筒形の部分領域に外側から装着することができる。ユーザによりハンドルを掴むために用いられるハンドルのハンドル部分は、当該領域において掃除機の外郭を超えて突出することによって、ユーザがそのハンドル部分にて掃除機を掴むことができる。
【００１２】
可能な実施形態によれば、ハンドルが、少なくとも、掃除機に取り付けられたハンドルベースとユーザの手により掴むために形成されたハンドル部分との間の中間部分において可撓性材料から形成される、かつ／または、ハンドル部分がハンドルベースに対して変位可能であることが提示される。例えば、ハンドルが全体として、または上述した中間部分のみが、エラストマー部品またはゴム部品から作製されることができる。その材料は、耐引き裂き性を有し、必要に応じてハンドルベースの領域においてできる限り薄くまたは変形可能とするべきである。これにより、アクセサリコネクタまたは接続アダプタの幾何学的寸法を大きく変更することなく掃除機へのハンドルの配置を行うことができ、特に、アクセサリコネクタと接続アダプタとの間のハンドルベースの配置を行うことができる。ハンドルベースとして弾性材料を用いるとき、接続アダプタとアクセサリコネクタの取付け領域に任意に存在する遊びがこの構成から排除されることで双方の部品のがたつきの無い接続が互いに得られるという利点も有する。ハンドル全体を、しかしながら特に中間部分を、少なくとも部分的にゴムまたはエラストマーから作製することができる。それに替えて、ハンドルの作製のためにプラスチックフィルムを用いることができ、例えばＰＥＴフィルムである。その際、２構成要素の解決手段を提供でき、その場合、ハンドルベースがＰＥＴフィルムで形成され、そのＰＥＴフィルムはハンドルベースとハンドル部分との間の中間部分において弾性材料に結合され、その弾性材料でハンドル部分が形成される。弾性材料よって、ユーザがもはやハンドルに触れていないときに好適な方向に変位させられるハンドル部分が得られる。ハンドルはさらに、少なくとも中間部分において、弾性材料から形成することができる。
【００１３】
特に、掃除機上に載置可能なハンドルの接触領域の形状が、接触領域を載置するために設けられた掃除機の表面領域の形状に対応していることが提示される。この形態によれば、ハンドルまたは少なくともハンドルのハンドル部分が、成型部品として形成され、その形状が、ハンドル部分が載置される掃除機の外面形状に対応する。
【００１４】
特に、ハンドル部分が、非使用位置において掃除機上に平坦に載置可能であることが提示される。この実施形態により、ハンドル部分が非使用位置においてハウジングから突出しない。
【００１５】
特に、ハンドルが、全体として弾性材料からなることができ、特に成型体として形成されたゴムまたはエラストマーからなることができる。ハンドルの非使用時、ハンドル部分は、成型部品に作用する復元力によって掃除機の対応する表面領域に平坦に載置され、そして、必要に応じてユーザにより掴まれ、材料の可撓性に基づいて非使用位置から把持位置まで動かされることができる。それは、ハンドルベース、ハンドル部分および場合によってはそれらの間の中間部分の幾何学的形状、並びに加えられる重量の力によるものである。ハンドル部分は、可撓性によってユーザの手の形状および大きさに好適に適応させることができる。
【００１６】
さらに、ハンドルのハンドル部分が、ハンドルのハンドルベースに設けられた旋回軸上で旋回移動するように軸支されることによって、ハンドル部分が掃除機から旋回して離れかつ掃除機に旋回して近づくことができることが提示される。この実施形態では、ハンドルのハンドルベースとハンドル部品とを剛体とすることができ、そして旋回軸の周りの回転により互いに旋回することができる。この場合もまた、ハンドルベースは、掃除機のハウジングのアクセサリコネクタ上、掃除アクセサリの接続アダプタ上、または、これらの間に配置することができる。特に、ここでもハンドルベースはリング形状の要素とすることができ、アクセサリコネクタまたは接続アダプタの好適には円すい形状の部分領域上に外側から嵌め込まれる。ハンドルベースは、剛体材料から、例えば硬質プラスチックからも形成することができ、またはここでも弾性材料から形成することができ、それは同時に遊びを低減又は排除するための緩衝材又はシール材として機能する。
【００１７】
特に非使用時にハンドルが、ハンドルの材料に由来する復元力により、かつ／またはハンドルに設けられた復元要素により、掃除機上に載置可能であることが提示される。例えば、ハンドルは、材料特性により本質的な復元力を有する弾性材料からなる成型部品とすることができ、その復元力は、予め成形されたハンドルを、ユーザにより印加される力が排除されたときにその好適な位置に戻るようにさせる。その位置は、ここでは例えば掃除機のハウジング上に平坦に載置される非使用位置に対応する。さらに、それに替えて又はそれに付加して、ハンドルに別個の復元要素を設けることもでき、その復元要素は例えば、アクセサリコネクタとハンドル部分との間、または、接続アダプタとハンドル部分との間に配置される。復元要素は例えばバネ要素とすることができる。それに替えて、復元要素が、対応する磁石要素であることも可能であり、それらは、一方がハンドル部分に、他方が掃除機に設けられる。ユーザは、復元力を克服することによりハンドル部分を掃除機から離すように変位させることができ、その場合、ユーザの把持力が排除されたとき、ハンドル部品は復元力にしたがって自動的に再び掃除機上に載置される。ハンドル部分の復元力により、掃除機の非使用時に、非使用のハンドルが掃除機から突出することが防止され、例えば環境内の物体に意図せずに衝突することが防止される。
【００１８】
最後に、掃除機が、アクセサリコネクタから離れた側のハウジング領域に第２のハンドルを有し、２つのハンドルの間の距離が少なくとも２０ｃｍであることが提示される。この実施形態では、取外し可能に配置されたハンドルが、掃除機の唯一のハンドルではなく、別のハンドルを有利に追加される。その別のハンドルは、掃除機のハウジングの別の離れた部分領域に配置されている。掃除機の大きさおよび重量並びにその上に配置された掃除アクセサリ特にアタッチメントの大きさおよび重量に応じて、２０ｃｍより遙かに大きい距離を選択することができ、例えば３０ｃｍ、３５ｃｍ、４０ｃｍまたはそれ以上である。ハンドル同士の間の少なくとも２０ｃｍの距離により、掃除機が意図せずに傾けられたり前後に揺れたりすることを防止できる。この実施形態では、ユーザが掃除機の２つの互いに離れた部分領域を把持することにより、安定した有利な掃除機の案内が可能となる。
【図面の簡単な説明】
【００１９】
【図１】図１は、取外し可能に設置されたハンドルを有する掃除機である。
【図２】図２は、ハンドルを取外し可能に設置された掃除アクセサリの接続アダプタである。
【図３】図３は、掃除機のアクセサリコネクタと掃除アクセサリの接続アダプタとの間に把持されたハンドルである。
【図４】図４は、使用位置における、ハンドルをその上に取外し可能に配置された掃除機の部分領域である。
【図５】図５は、非使用位置における、別の実施形態による、ハンドルをその上に配置された掃除機の部分領域である。
【図６】図６は、使用位置における、図５のハンドルである。
【発明を実施するための形態】
【００２０】
以下、実施例を示した図面を参照して、本発明をさらに詳細に説明する。
図１に示す掃除機１は、手動移動式の家事用吸引掃除機として構成され、床面の掃除および床上方表面の掃除の双方のために用いることができる。掃除機１は、アクセサリコネクタ３を具備するハウジング２を有し、ここではアタッチメント装置として形成されたアクセサリ５がそこに接続されている。アクセサリ５は、アクセサリコネクタ３上に配置するために用いられる接続アダプタ４を有する。
【００２１】
掃除機１は、通常の態様において、集塵室７、ファン８および吸引ダクト９を有し、吸引ダクト９は、アクセサリコネクタ３から集塵室７を介してファン８まで案内する。アクセサリコネクタ３において、吸引ダクト９は、アクセサリ５の対応する吸引ダクト（図示せず）に繋がっている。
【００２２】
掃除機１は、柄２１を有し、その上に持ち手２２が配置されている。持ち手は、床面の掃除中、掃除機１の案内すなわち移動に用いられる。持ち手２２には、さらにスイッチ２３が形成され、それは例えばファン８のオンオフ切替に用いられる。アタッチメント装置として用いられる掃除機１のアクセサリ５は、車輪２０を有し、それは掃除対象面上での掃除機１の低摩擦の移動に寄与する。
【００２３】
例えば、室内の掃除中、または床上方掃除中にも掃除機１を持ち運ぶために、掃除機１は、更にハンドル１９を有し、そのハンドル１９は、持ち手２２のように、図１に示す使用位置において、掃除機１のハウジング２の上部領域に配置されており、ここでは例えば集塵室７とファン８との間の高さのハウジング部分１８に配置されている。
【００２４】
特に床上方掃除中に掃除機１を保持するために、掃除機１はハンドル６を有する。ハンドル６は、ハウジング２のアクセサリコネクタ３の領域に配置されている。このハンドル６は、ここではハウジング２のアクセサリコネクタ３とアクセサリ５の接続アダプタ４との間に挟持されることによって、アクセサリコネクタ３と接続アダプタ４の接続中、同時にハンドル６も固定される。このためにハンドル６は、ハンドルベース１０（図２参照）とハンドル部分１３とを有する。図１による図示では、外側に突出するハンドル部分１３のみが現れている。ハンドル６は、ここでは例えば全体として、例えばゴム等の弾性材料からなり、弾性成型部品として形成され、それは図１に示すハンドル６の非使用位置においては、ハウジング２の表面領域１５（図３参照）に形状的に対応して載置されている。このために、ハンドル部分１３は、非使用位置において表面領域１５に平坦に載置される接触領域１４（図２参照）を有する。
【００２５】
図２は、掃除アクセサリ５上に配置されたハンドル６を示している。ハンドル６のハンドルベース１０は、掃除アクセサリ５に取り付けるために、接続アダプタ４の部分領域１１に嵌め込まれている。このために、ハンドルベース１０は貫通孔を有し、その貫通孔の内側の輪郭が部分領域１１の外側の輪郭に対応している。掃除機１のハンドル６を固定するために、掃除アクセサリ５は、図２に示す位置およびハンドル６の向きで掃除機１のアクセサリコネクタ３に取り付けられる。そのために、掃除機１のアクセサリコネクタ３が、アクセサリ５の接続アダプタ４に嵌め込まれる。これはまた同時に、掃除機１の吸引ダクト９を接続アダプタ４の部分領域１１と接続する。掃除アクセサリ５を掃除機１に固定しているとき、ハンドル６のハンドル部分１３が外側に留まることによって、ハンドル部分１３はユーザにより触れられることができる。ハンドル部分１３は、ハンドル孔２４を有し、それを通してユーザがその手で掴むことができる。
【００２６】
図２〜図４に示すハンドル６の実施形態では、ハンドル６が例えば同じ材料からなる一体部品で形成され、ここでは例えばゴムまたはエラストマーから作製されている。ハンドルベース１０およびハンドル部分１３は、中間部分１２を介して接続されている。その中間部分１２は旋回領域であり、それを介してハンドル部分１３が、ハンドルベース１０に対して、そしてそれにより掃除機１または掃除アクセサリ５に対して旋回可能である。
【００２７】
図３および図４は、異なる旋回位置における、すなわち一方は非使用位置（図３）における、そして他方は使用位置（図１４）におけるハンドル部分１３を示す。非使用位置では、ハンドル部分１３はユーザにより触れられておらず、掃除機１の重量もかかっていない。したがって、ハンドル部分１３は、ハウジング２の表面領域１５上に載置された好適位置に存在し、それはハンドル６の無負荷形状に対応する。それに対し図４は、ハンドル６の使用位置を示している。その場合、ユーザがハンドル部分１３のハンドル孔２４にその手を掛けて掃除機１を少なくとも部分的にハンドル６で持ち上げることによって、ハンドル部分１３は表面領域１５から離れるように変位させられる。この場合、ハンドル部分１３は、弾性材料であるので変形することによって、ハンドル孔２４の形状も、任意に（材料の硬さに応じて）ユーザの手に適応させられる。
【００２８】
図２および図３に示すように、ハンドルベース１０は、掃除アクセサリ５の接続アダプタ４とハウジング２のアクセサリコネクタ３との間に挟持されることが認められる。したがってハンドルベース１０は、同時に緩衝要素またはシール要素として機能する。さらに、ハンドルベース１０はまた、ハウジング２と掃除アクセサリ５との間に存在する間隙を排除または最小限とすることができる。このために、ハンドルベース１０が、延性材料であることが好適である。しかしながら、アクセサリコネクタ３と接続アダプタ４との間の距離をできるだけ小さく維持するために、特に介在するハンドル無しでの使用のために、ハンドルベース１０は最小限の材料厚さを有するべきである。特に、ハンドルベース１０の厚さは、２ｍｍ未満、特に１ｍｍ未満が推奨される。別の実施形態によれば、ハンドル６が、２つの異なる構成要素から形成されることができる。すなわち一方は、例えば薄いフィルムから形成することができる特に薄いハンドルベース１０からなり、そして他方は、厚いゴム材料からなるハンドル部分１３から形成される。ハンドルベース１０とハンドル部分１３との間に形成される中間部分１２は、ハンドル６の旋回負荷に耐えるように同様にゴムから形成することができる。ハンドルベース１０のフィルム材料は、例えばＰＥＴ（ポリエチレンテレフタレート）とすることができる。
【００２９】
図５および図６は、本発明のさらに別の実施形態を示し、その場合、ハンドル６がハンドル部分１３とハンドルベース１０から構成され、それらは互いに旋回可能に配置されている。このために、ハンドルベース１０は、旋回軸１６を有し、その上にハンドル部分１３が旋回可能に装着されている。ハンドル部分１３およびハンドルベース１０は、ここでは例えば、双方とも硬質プラスチックから作製されている。ハンドルベース１０は、ここでは掃除機１のハウジング２のアクセサリコネクタ３に外側から嵌め込むことができるリングの形状で形成されている。アクセサリコネクタ３は、円すい形状で形成され、掃除アクセサリ５の接続アダプタ４の反対方向に向かって拡がっている。したがって、ハンドルベース１０がアクセサリコネクタ３に嵌め込まれたとき、図示の端部位置に自動的に固定され挟持される。その後、アクセサリ５の接続アダプタ４が、この位置の固定のためにハンドルベース１０の前に嵌め込まれロックされる。
【００３０】
ハンドル部分１３は、ハウジング２の表面領域１５に形状的に対応して形成されている。表面領域１５は、ここでは例えば材料凹部を設けられており、その中にハンドル部分１３が図５に示す非使用位置において埋没することができる。この位置において、ハンドル部分１３は、復元要素１７に補助されて固定されており、復元要素１７はここでは例えば対応する磁石を有し、それらはハンドル部分１３とハウジング２の表面領域１５とに配置されている。それに替えて、またはそれに付加して、復元要素１７として例えばバネ要素を用いることもできる。そのバネ要素は、ユーザがハンドル６を解放したとき、ハンドル部分１３を表面領域１５に戻すように引っ張る。
【００３１】
図５および図６による実施形態においても、ハンドル６はアクセサリコネクタ３上に取外し可能に配置されている。しかしながら、ハンドルベース１０は、接続アダプタ４とアクセサリコネクタ３との間に突出しておらず、アクセサリコネクタ３に外側から取り付けられるので、ハンドルベース１０の材料厚さを最小限とすることは必須ではない。
【００３２】
さらに、図１〜図４および図５〜図６による多様な実施形態の双方の間の混合形態も可能である。例えば、図５および図６に配置されたハンドル６においても弾性材料から形成することができ、それにより旋回軸１６を省くことができ、かつハンドル部分１３のハンドルベース１０に対する旋回性が弾性的な中間部分１２を介して実現される。
【符号の説明】
【００３３】
１  掃除機
２  ハウジング
３  アクセサリコネクタ
４  接続アダプタ
５  掃除アクセサリ
６  ハンドル
７  集塵室
８  ファン
９  吸引ダクト
１０  ハンドルベース
１１  部分領域
１２  中間部分
１３  ハンドル部分
１４  接触領域
１５  表面領域
１６  旋回軸
１７  復元要素
１８  ハウジング領域
１９  ハンドル
２０  車輪
２１  柄
２２  持ち手
２３  スイッチ
２４  ハンドル孔
【図１】
2019188134.tif 000003
【図２】
2019188134.tif 000004
【図３】
2019188134.tif 000005
【図４】
2019188134.tif 000006
【図５】
2019188134.tif 000007
【図６】
2019188134.tif 000008